(57)【要約】【課題】電波によるデータ送信効率の劣化を抑制すること。【解決手段】通信回路１０４は、電極１０１、１０２によって検出した心拍情報をアンテナ１１０を介して、親機に電波で送信する。電極１０１、１０２と通信回路１０４の入力部間に設けられたインダクタ１０３は、アンテナ１１０から出力される電波が電極１０１を介して通信回路１０４に入力され、浪費されるのを抑制する。【選択図】　　図１
2004089356.tif 000002
【特許請求の範囲】
【請求項１】
生体情報を検出するための生体情報検出手段と、アンテナと、前記生体情報検出手段で検出した生体情報を前記アンテナを介して電波で送信する通信手段とを備えた生体情報測定装置において、
前記生体情報検出手段と前記通信手段の入力部間に、前記アンテナから出力される電波が前記生体情報検出手段を介して前記通信手段に入力されるのを抑制するための抑制手段を設けて成ることを特徴とする生体情報測定装置。
【請求項２】
前記抑制手段はインダクタであることを特徴とする請求項１記載の生体情報測定装置。
【請求項３】
前記抑制手段は抵抗であることを特徴とする請求項１記載の生体情報測定装置。
【請求項４】
前記インダクタは、前記通信手段が前記アンテナを介して送信する電波の周波数よりも高い自己共振周波数を有することを特徴とする請求項２記載の生体情報測定装置。
【請求項５】
前記生体情報検出手段は、身体に装着して使用すると共に該身体の心拍を検出するための電極であることを特徴とする請求項１乃至４のいずれか一に記載の生体情報測定装置。
【発明の詳細な説明】
【０００１】
【発明の属する技術分野】
本発明は、心拍等の生体情報を検出して電波によって送信する生体情報測定装置に関する。
【０００２】
【従来の技術】
従来から、生体情報測定装置の一種として、身体に装着することによって心拍を計測し、アンテナを介して、計測した心拍データを無線送信するようにした心拍計が使用されている。
【０００３】
図３は、従来の心拍計のブロック図である。心拍計は、１対の心拍検出用電極（正側の電極３０１、負側（接地）側の電極３０２）、心拍検出回路３０３、中央処理装置（ＣＰＵ）３０４、高周波（ＲＦ）回路３０５、アンテナ３０６を備えている。
電極３０２は接地されており又、電極３０１は人体の心拍を電気的に検出して取り出すための電極である。心拍検出回路３０３は電極３０１、３０２間の電圧を検出することによって、使用者の心拍を検出する。
【０００４】
前記従来の心拍計において、心拍検出回路３０３は、人体に装着された電極３０１、３０２間に生じる心拍の信号を検出して、ＣＰＵ３０４に出力する。ＣＰＵ３０４は、前記心拍信号を心拍データとして高周波回路３０５に出力すると共に、高周波回路３０５が前記心拍データをアンテナ３０６を介して送信するように高周波回路３０５を制御する。
これにより、前記人体の心拍データはアンテナ３０６から、心拍データの表示等の各種管理を行うための親機（図示せず）に送信される。
【０００５】
【発明が解決しようとする課題】
しかしながら、前記従来の心拍計においては、電極３０１、３０２の大きさが大きいため、アンテナ３０６から出力される電波信号が電極３０１に吸収されてしまい、電波による送信効率が劣化するという問題がある。
また、心拍計以外にも、データ送信用アンテナと生体情報検出電極を有する構成の生体情報測定装置においても、前記同様に、電波による送信効率が劣化するという問題がある。
【０００６】
本発明は、生体情報を検出するための生体情報検出手段と、アンテナと、前記生体情報検出手段で検出した生体情報を前記アンテナを介して電波によって送信する通信手段とを備えた生体情報測定装置において、電波によるデータ送信効率の劣化を抑制することを課題としている。
【０００７】
【課題を解決するための手段】
本発明によれば、生体情報を検出するための生体情報検出手段と、アンテナと、前記生体情報検出手段で検出した生体情報を前記アンテナを介して電波で送信する通信手段とを備えた生体情報測定装置において、前記生体情報検出手段と前記通信手段の入力部間に、前記アンテナから出力される電波が前記生体情報検出手段を介して前記通信手段に入力されるのを抑制するための抑制手段を設けて成ることを特徴とする生体情報測定装置が提供される。生体情報検出手段と通信手段間に配設された抑制手段により、アンテナから通信手段への信号の飛び込みが抑制される。
【０００８】
ここで、前記抑制手段はインダクタ、あるいは、抵抗であってもよい。
また、前記インダクタは、前記通信手段が前記アンテナを介して送信する電波の周波数よりも高い自己共振周波数を有するように構成してもよい。
また、前記生体情報検出手段は、身体に装着して使用すると共に該身体の心拍を検出するための電極であるように構成してもよい。
【０００９】
【発明の実施の形態】
図１は、本発明の実施の形態に係る生体情報検出装置のブロック図で、使用者の身体に装着して使用する心拍計の例を示している。
図２は、図１に示した生体情報検出装置の正面図であり、図１と同一部分には同一符号を付している。
【００１０】
図１および図２において、心拍計は、生体情報検出手段としての１対の心拍検出用電極（正側の電極１０１、負側（接地）側の電極１０２）、抑制手段としてのインダクタ１０３、通信手段としての通信回路１０４、アンテナ１１０を備えている。
インダクタ１０３、通信回路１０４、アンテナ１１０は、筐体２０１内に収容されている。電極１０１、電極１０２は、人体に接触可能なように、筐体２０１の外部に露出した状態で筐体２０１に取り付けられている。
【００１１】
通信回路１０４は、心拍検出回路１０５、中央処理装置（ＣＰＵ）１０８、高周波（ＲＦ）回路１０９を備えている。
電極１０１、１０２は人体に装着して使用されるもので、該人体の心拍を電気的に検出して取り出すための電極であり、大きな形状（例えば、電極１０１、１０２ともに長さ約８ｃｍ）に構成されている。電極１０２は接地されており又、電極１０１は人体の心拍を電気的に検出して取り出すための電極である。
【００１２】
心拍検出回路１０５は、インダクタ１０３を介して電極１０１から入力される心拍信号を増幅するための増幅回路１０６、増幅回路１０６から出力される心拍信号を波形整形するための波形整形回路１０７を有している。心拍検出回路１０５は、電極１０１、１０２間の電圧を検出することによって、使用者の心拍を検出する。
【００１３】
インダクタ１０３は、電極１０１と通信回路１０４の入力部との間に接続されている。インダクタ１０３のインダクタンスは、電極１０１、１０２によって検出される心拍信号は、劣化することなく通信回路１０４に通過させるが、電極１０１を介してアンテナ１１０から入力される信号は、抑制するように機能する。また、インダクタ１０３は、通信回路１０４がアンテナ１１０を介して送信する電波の周波数よりも高い自己共振周波数を有している。
【００１４】
これにより、通信回路１０４の入力部に接続されたインダクタ１０３は、通信回路１０４がアンテナ１１０を介して送信する電波の周波数領域の信号が通信回路１０４に入力されるのを抑制する。尚、インダクタ１０３は、アンテナ１１０から出力される電波が電極１０１を介して通信回路１０４に入力されるのを抑制可能な回路であれば足りるため、必ずしもインダクタ１０３を使用する必要はなく、例えば抵抗を使用することも可能である。但し、通信回路１０４における入力インピーダンスの整合性を考慮する必要がある場合には、抵抗よりもインダクタの方がより好ましい。
【００１５】
以上のように構成された心拍計において、心拍検出回路１０５は、人体に装着された電極１０１、１０２間に生じる心拍の信号を検出して、ＣＰＵ１０８に出力する。ＣＰＵ１０８は、前記心拍信号を心拍データとして高周波回路１０９に出力すると共に、高周波回路１０９が前記心拍データをアンテナ１１０を介して送信するように高周波回路１０９を制御する。
【００１６】
これにより、前記人体の心拍データはアンテナ１１０から電波によって、心拍データの表示等の各種管理を行うための親機（図示せず）に送信される。
このとき、アンテナ１１０から出力された前記電波信号は、電極１０１で受信され、通信回路１０４へ入力されようとするが、電極１０１で受信したアンテナ１１０からの信号が通信回路１０４へ入力されることを、インダクタ１０３が抑制する。これにより、アンテナ１１０から出力される電波信号が通信回路１０４で浪費されることを抑制でき、したがって、心拍計の電波によるデータ送信効率が劣化することを抑制できる。
【００１７】
以上述べたように本実施の形態に係る生体情報測定装置（例えば、心拍計）は、生体情報（例えば、心拍情報）を検出するための生体情報検出手段（例えば、１対の電極１０１、１０２）と、アンテナ１１０と、前記生体情報検出手段で検出した生体情報をアンテナ１１０を介して電波で送信する通信回路１０４とを備えた生体情報測定装置において、前記生体情報検出手段と通信回路１０４の入力部間に、アンテナ１１０から出力される電波が前記生体情報検出手段を介して通信回路１０４に入力されるのを抑制するための抑制手段（例えば、インダクタ１０３、あるいは、抵抗）を設けて成ることを特徴としている。したがって、アンテナ１１０を介して通信回路１０４から電波によって生体情報を送信する際に、データ送信効率の劣化を抑制することが可能になる。
尚、本実施の形態は、心拍計の例で説明したが、血圧等の各種生体情報を測定する生体情報測定装置に適用することが可能である。
【００１８】
【発明の効果】
本発明に係る生体情報測定装置によれば、測定データを電波によって送信する際の送信効率の劣化を抑制することが可能になる。
【図面の簡単な説明】
【図１】本発明の実施の形態に係る心拍計のブロック図である。
【図２】本発明の実施の形態に係る心拍計の正面図である。
【図３】従来の心拍計のブロック図である。
【符号の説明】
１０１、１０２・・・生体情報検出手段としての電極
１０３・・・抑制手段としてのインダクタ
１０４・・・通信手段としての通信回路
１０５・・・心拍検出回路
１０６・・・増幅回路
１０７・・・波形整形回路
１０８・・・制御手段としてのＣＰＵ
１０９・・・高周波回路
１１０・・・アンテナ
２０１・・・筐体
【図１】
2004089356.tif 000003
【図２】
2004089356.tif 000004
【図３】
2004089356.tif 000005